(57)【要約】【課題】打ち込み時の座屈に強く、電極間干渉を回避できる突起付き接地電極を提供する。【解決手段】導電性を有する素材にて下端を先鋭に形成した任意長の棒体を設け、棒体側面に、先鋭部分を有する突起を２列に連設するとともに、平面視における各列の突起間角度を鈍角となるよう構成したことを特徴とする。【選択図】  図１
2005251712.tif 000002
【特許請求の範囲】
【請求項１】
導電性を有する素材にて下端を先鋭に形成した任意長の棒体を設け、棒体側面に、先鋭部分を有する突起を２列に連設するとともに、平面視における各列の突起間角度を鈍角となるよう構成したことを特徴とする、突起付き接地電極。
【請求項２】
突起を角錐形状の突起としてなる請求項１記載の突起付き接地電極。
【発明の詳細な説明】
【技術分野】
【０００１】  この発明は、落雷対策に用いる接地電極に関し、良好なる雷撃時接地抵抗が得られるとともに、地中への打ち込みも容易なる突起付きの接地電極に関する。
【背景技術】
【０００２】  従来より、針状突起付き接地電極すなわち、導電性を有する断面Ｌ形の板体側面に多数の針状突起を連設した接地電極が多用され、雷撃時における土中放電効果が大きいことが実証されているが、本発明にて示すように、棒状体側面に角錐状の突起を多数連設してなる接地電極は現在のところ見当たらない。
【発明の開示】
【発明が解決しようとする課題】
【０００３】  平成１５年７月に改定されたわが国の雷保護に関するＪｌＳ規格（ＪｌＳ  Ａ  ４２０１  ２００３）は、接地システムは接地抵抗よりも雷を放流し易い環状接地・形状を重視しなければならないことを推奨しているが、このような観点で特筆される接地電極が針状突起のある接地電極で、土中放電効果の高いことが既に証明されている。
しかし製品化されている針状突起付き接地電極は、断面がＬ字形であるために強度が不足し、岩盤地帯や火山礫を多量に含む火山灰堆積地では打込み時に座屈してしまうため、重機による掘削を必要とし、特に既設設備が存在して重機搬入が困難な既設接地システムの改修には全く適用することができないという問題があった。
また、これまで製品化された針状突起付き接地電極はＬ字形であるため針端の配置が互いに９０度となり、複数配置の場合、隣接接地電極との干渉から逃れることができなかった。また、これまで製品化された針状突起付き接地電極は、直に地中に打ち込むため大地抵抗率によっては電極周辺に抵抗低減剤を施したい場合があっても電極周囲に容易に注入し得ない構造であった。
本発明は以上記した従来からの針状突起付き接地電極に関わる課題を解決するために発明されたもので、棒状体の側面に角錐状の突起を連設することにより、重機による土壌掘削なしに地中に容易に打込み得る堅牢さを有し、突起成形も容易で、隣接接地極との干渉も少なく、かつ必要な場合は抵抗低減剤の注入を容易とする、新規かつ有効なる接地電極を提供することを目的としたものである。
【課題を解決するための手段】
【０００４】  課題を解決する手段として本発明は、棒体側面に突起を連設してその主要部を構成した。
すなわち、導電性を有する素材にて下端を先鋭に形成した任意長の棒体を設け、棒体側面に、先鋭部分を有する突起を２列に連設するとともに、平面視における各列の突起間角度を鈍角となるよう構成する。
本発明は以上の構成よりなる突起付き接地電極である。
【発明の効果】
【０００５】  本発明によれば、導電性の棒体側面に角錐状の突起を二列に連設しており、三角棒体を用いることにより突起間角度は１２０度となるため、以下の種々の効果を得ることができる。
１．棒状の電極本体を有するので、地中打ち込み時の座屈の恐れがない。
２．土壌掘削の必要がないため、工期の短縮と工費の低減効果が得られる。
３．突起間角度が広いため、電極間干渉率すなわち集合係数を改善することができる。
４．電極の先鋭下端部外径を大きく取ることにより、電極を抵抗低減剤で簡単に覆うことができ、電極の腐食を抑え、接地抵抗を低減化することができる。
５．電極の地中打ち込みが容易となり、長時間要していた大地抵抗率調査が迅速化され、調査精度を向上させることができる。
【発明を実施するための最良の形態】
【０００６】  以下、本発明の実施形態について説明する。
図において、１はステンレス製棒状の電極本体で、その上部は変形五角形の平面であり、下端は三角錐状に先鋭化される。２は角錐状の突起で、電極本体側面にその上部から下部に向けて連設される。この突起と電極本体は一体に形成され、図４にて示すように突起上部の傾斜に比べて下部の傾斜角を変えており、地中打ち込み時の抵抗を少なくするよう配慮している。この電極を平面視すると図２となり、すなわち三角棒体の側面を削って突起部分を残す方式で製作される。従って突起は四角錐形状である。
本発明の使用時は、図８に示すように適宜幅・深さの方形溝６を地面上に設け、この溝の中心にそって所定間隔にて電極本体を地中に打ち込む。このとき、電極は一定方向に向くように整列した配置となり、電極上面は溝底面よりわずかに低い位置となる。
そして溝の中心位置に沿って銅線よりなる接地線７を張り巡らし、各電極上面と接地線間は接続線（図示略）にて接続される。この接地線は雷保護の必要な設備に導かれる。
なお、接地線保護のため接地線を覆うように抵抗低減剤（生石灰に炭素粉を混入したもの）が散布される。【０００７】  図７の従来例では電極本体は断面Ｌ形のため、各列の針状突起間角度は９０度であり、配置した状態での電極間干渉が避けられなかったが、本発明は断面正三角形の棒体の稜に沿って突起が位置するため、各列の突起間角度は１２０度となり、この電極間干渉を避けることができて、性能を高めることができる。
図６は本発明の他例を示すもので、突起距離（平面視）よりやや大きな外径の上面を有する逆円錐を電極下端に設けたものであり、この電極を地中に打ち込んだ場合、円錐上面外径のサイズが空洞として地中に残り、その空洞内に、円錐に続く電極部分すなわち突起を有する部分が位置している。従って、この空隙内に既述の抵抗低減剤を注入することができて接地抵抗を低下させることができる。
本発明の概要については既述したが、本発明は三角棒体を削って突起を形成するところにその特徴がある。従来のＬ形電極では板体から針状突起を形成するため、強度上の難点があった。また、各針状突起間角度は狭く、突起の放電領域が重なる電極干渉の問題があった。
しかるに本発明では棒体の電極のため、その強度は高く、打ち込み時の座屈を防止し、正三角形棒体の稜を削って角錐状の突起を形成するため、その突起間角度は広くなって接地電極の落雷による放電時の電極干渉を回避することができるのである。
なお、本発明では三角棒体を削って突起形成を行ったが、突起間角度が得られれば他の形状の棒体を用いてもよく、突起は溶着その他の手段を用いてもよい。
また、図６では電極下端を逆円錐形としたが、下端が先鋭な他の形状を用いてもよい。
以上のごとく、本発明によって設置容易であるとともに、電極間干渉を避けることのできる新規かつ有用なる接地電極を得ることができる。
【図面の簡単な説明】
【０００８】
【図１】本発明の斜視図
【図２】本発明の拡大平面図
【図３】本発明の拡大正面図（一部略）
【図４】Ａ−Ａ断面図（一部略）
【図５】本発明の拡大斜視図（一部略）
【図６】本発明の他例の正面図
【図７】従来例の縮小斜視図（針状突起付きＬ形接地電極）
【図８】本発明の電極配置説明図
【符号の説明】
【０００９】  １  電極本体
２  突起
３  円錐状先鋭部
４  Ｌ形接地電極
５  針状突起
６  方形溝
７  接地線
【図１】
2005251712.tif 000003
【図２】
2005251712.tif 000004
【図３】
2005251712.tif 000005
【図４】
2005251712.tif 000006
【図５】
2005251712.tif 000007
【図６】
2005251712.tif 000008
【図７】
2005251712.tif 000009
【図８】
2005251712.tif 000010